(57)【要約】【課題】ゲリラ豪雨などのような局地的大雨の際の水害発生を回避することができ、水分によって路床が損傷することがなく、施工も容易な舗装構造を提供する。【解決手段】舗装構造１００は、路床１０上に敷設された遮水層２０と、遮水層２０上に形成された路盤３０と、路盤３０上に形成された舗装層４０と、路盤３０と略水平方向に隣接する領域に設けられた側溝５０と、を備え、遮水層２０上に捕集された水分を側溝５０内へ流入させる排水手段である排水経路５１が設けられている。遮水層２０は合成樹脂製の遮水シート材で形成され、路盤３０は、砕石材とセメント系固化剤と団粒化剤と水との混練物を遮水層２０上に打設、固化させて形成され、舗装層４０は、ポーラスアスファルト若しくはポーラスコンクリートを路盤３０上に打設、固化させて形成されている。【選択図】図１
2016079592.tif 000002
【特許請求の範囲】
【請求項１】
路床上に敷設された遮水層と、砕石材とセメント系固化剤と団粒化剤と水との混練物を前記遮水層上に打設して形成された路盤と、ポーラスアスファルト若しくはポーラスコンクリートを前記路盤上に打設して形成された舗装層と、前記路盤と略水平方向に隣接する領域に設けられた側溝と、を備え、前記遮水層上に捕集された水分を前記側溝内へ流入させる排水手段を設けた舗装構造。
【請求項２】
前記排水手段として、前記路盤と前記側溝とを連通する排水経路を設けた請求項１記載の舗装構造。
【請求項３】
前記路床上に遮水シートを敷設して前記遮水層を形成した請求項１または２記載の舗装構造。
【請求項４】
前記団粒化剤が、アクリル酸・メタクリル酸ジメチルアミノエチル共重合物のマグネシウム塩とポリエチレンアミンとの複合体からなる高分子化合物を含むものである請求項１〜３のいずれかに記載の舗装構造。
【発明の詳細な説明】
【技術分野】
【０００１】
本発明は、透水性及び保水性を備えた舗装構造に関する。
【背景技術】
【０００２】
近年、日本国内においてはゲリラ豪雨などと呼ばれる局地的大雨や局地豪雨が頻発している。ゲリラ豪雨は、積乱雲の発生による突発的で局地的な豪雨であり、予測が困難であるため、様々な被害も生じている。
【０００３】
一般に市街地や住宅地域などに降り注いだ降雨は側溝に流れ込み、所定の排水経路を経由して排水されるように排水施設が整備されているが、ゲリラ豪雨が発生し、局地的に短時間のうちに大量の雨が舗装道路などに降り注ぐと、路盤中に浸透できなくなった雨水が舗装面から溢れ出したり、流出したりして、近隣地域に水害を及ぼすことが多い。
【０００４】
このような水害の発生を防止するため、本出願人は、透水性及び保水性を備えた舗装構造を提案している（例えば、特許文献１参照）。この舗装構造は、舗装面に降り注いだ雨水を吸収して保持する機能を有しているので、雨水が舗装面から溢出したり、流出したりするのを防止することができる。
【０００５】
一方、本発明に関連する従来技術として、例えば、特許文献２記載の「透水構造及び透水構造の施工方法」あるいは特許文献３記載の「排水性舗装およびその施工方法」などがある。
【先行技術文献】
【特許文献】
【０００６】
【特許文献１】特開２０１２−２１１４３０号公報
【特許文献２】特開２００９−６８２４０号公報
【特許文献３】特開２０１０−１１２０４２号公報
【発明の概要】
【発明が解決しようとする課題】
【０００７】
前述したように、特許文献１記載の舗装構造は適度の透水性及び保水性を有し、路面に降り注いだ雨水を吸収して保持することができるので、雨水が舗装面から溢出したり、流出したりするのを防止することができるのであるが、近年、頻発するゲリラ豪雨のように、短時間のうちに局地的な豪雨が降り注ぐと、対応することができない面があるのが実状である。
【０００８】
また、特許文献２に記載されている透水構造及び特許文献３に記載されている排水性舗装も同様に路面に降り注いだ雨水を吸収したり、排水したりする機能を有しているのであるが、ゲリラ豪雨のような局地的な大量豪雨には対応困難である。さらに、特許文献２記載の透水構造は地中に筒部材を起立状態で埋設しなければならないので、施工が面倒である。
【０００９】
そこで、本発明が解決しようとする課題は、ゲリラ豪雨などのような局地的大雨の際の水害発生を回避することができ、水分によって路床が損傷することがなく、施工も容易な舗装構造を提供することにある。
【課題を解決するための手段】
【００１０】
本発明の舗装構造は、路床上に敷設された遮水層と、砕石材とセメント系固化剤と団粒化剤と水との混練物を前記遮水層上に打設して形成された路盤と、ポーラスアスファルト若しくはポーラスコンクリートを前記路盤上に打設して形成された舗装層と、前記路盤と略水平方向に隣接する領域に設けられた側溝と、を備え、前記遮水層上に捕集された水分を前記側溝内へ流入させる排水手段を設けたことを特徴とする。
【００１１】
路床上に敷設された遮水層の上に、砕石材とセメント系固化剤と団粒化剤との混練物を打設すると、団粒化剤中のイオンの作用により、隣接する個々の砕石同士の間において、砕石材中に含まれる岩石の粉粒成分とセメント系固化剤とが立体的な団粒構造を形成して連続した空隙が発生するとともに、セメント系固化剤の作用により、これらの空隙が外力で破壊されない程度に固化されるため、透水性及び保水性を兼備した路盤が遮水層上に形成される。
【００１２】
従って、舗装層の表面に降り注いだ雨水などの水分は、舗装層から路盤に浸透していき、路盤中の団粒構造に存在する空隙中に一時保持されるとともに、路盤中に保持できなかった水分は路盤中を下降して遮水層上に捕集され、排水手段を経て側溝内へ流入する。
【００１３】
このため、舗装層の表面に大量の雨水が降り注いだ場合、当該雨水は舗装層を通過して路盤中に一時的に貯留された後、時間差を置いて、側溝内へ排出されることとなり、舗装層に降り注いだ雨水と、当該舗装構造の周辺地域に降った雨水とが同時に側溝内へ流れ込むのを防止することができる。
【００１４】
この結果、ゲリラ豪雨などのように、短時間内のうちに局地的大雨が降った場合の水害発生を回避することができる。また、路盤中に保持（貯留）された水分は遮水層から下方へ浸透することがないので、水分によって路床が損傷することもない。
【００１５】
さらに、本発明の舗装構造は、路床上に敷設された遮水層の上に前記路盤及び前記舗装層を形成するともに、前記遮水層上に捕集された水分を前記側溝内へ流入させる排水手段を設ければ構築することができるので、施工も容易である。
【００１６】
ここで、前記排水手段として、前記路盤と前記側溝とを連通する排水経路を設けることが望ましい。
【００１７】
また、前記遮水層は、前記路床上に遮水シートを敷設して形成することができる。
【００１８】
さらに、前記団粒化剤として、アクリル酸・メタクリル酸ジメチルアミノエチル共重合物のマグネシウム塩とポリエチレンアミンとの複合体からなる高分子化合物を含むものを使用することができる。
【発明の効果】
【００１９】
本発明により、ゲリラ豪雨などのような局地的大雨の際の水害発生を回避することができ、水分によって路床が損傷することがなく、施工も容易な舗装構造を提供することができる。
【図面の簡単な説明】
【００２０】
【図１】本発明の実施形態である舗装構造を示す垂直断面図である。
【図２】図１の一部拡大図である。
【図３】図１に示す舗装構造を構成する路盤の施工手順を示す図である。
【発明を実施するための形態】
【００２１】
以下、図１〜図３に基づいて、本発明の実施形態である舗装構造１００について説明する。図１，図２に示すように、本実施形態の舗装構造１００は、路床１０上に敷設された遮水層２０と、遮水層２０上に形成された路盤３０と、路盤３０上に形成された舗装層４０と、路盤３０と略水平方向に隣接する領域に設けられた側溝５０と、を備え、遮水層２０上に捕集された水分を側溝５０内へ流入させる排水手段である排水経路５１が設けられている。
【００２２】
遮水層２０は、合成樹脂製の遮水シート材を路床１０上に敷設することによって形成されている。路盤３０は、後述する図３に示すように、砕石材１とセメント系固化剤２と団粒化剤３と水４との混練物５を遮水層２０上に打設して固化させることによって形成されている。舗装層４０はポーラスアスファルト（若しくはポーラスコンクリート）を路盤３０上に打設して形成されている。
【００２３】
側溝５０は、遮水層２０、路盤３０及び舗装層４０と略水平方向に隣接する領域に、遮水層２０、路盤３０及び舗装層４０の垂直断面と接触した状態にコンクリート製の側溝ブロック５２を配置することによって形成されている。側溝ブロック５２は、内部に通水路５３を有する筒状の部材であり、路盤３０などに接する側の側壁部５４の最下部分を貫通した状態で複数の排水経路５１が設けられている。排水経路５１は、路盤３０の最下部分（遮水層２０の直上部分）と側溝ブロック５２の通水路５３とを連通している。
【００２４】
図２に示すように、排水経路５１は略水平状態をなし、排水経路５１の外側開口部５１ａは路盤３０に面しており、内側開口部５１ｂの最下部分は通水路５３の底部５５の上面５５ａに連続している。通水路５３の底部５５の上面５５ａは、当該通水路５３の長手方向（水の流動方向）と直交する面における断面形状が下方に凹んだ円弧形状をなす樋形状となっている。底部５５ａの最下部分は排水経路５１の内側開口部５１ｂより下方に位置している。複数の排水経路５１は通水路５３の長手方向に沿って所定間隔ごとに設けられている。
【００２５】
ここで、図３に基づいて、舗装構造１００を構成する路盤３０の施工手順について説明する。図３に示すように、１立方メートルの砕石材１（粒径０．０７５ｍｍ〜４０ｍｍ）に対し、４０〜１２０ｋｇのセメント系固化剤２と、１〜２リットルの団粒化剤３と、適量の水４とを混合して混練物５を形成する。団粒化剤３は、アクリル酸・メタクリル酸ジメチルアミノエチル共重合物のマグネシウム塩とポリエチレンアミンとの複合体からなる高分子化合物を含むものであり、本実施形態においては、有限会社グローバル研究所の「（商品名）ＳＳ−Ｍ１」を水で３０〜６０倍に希釈したものを使用しているが、これに限定するものではない。
【００２６】
図１に示すように、所定形状に整地した路床１０上に側溝ブロック５２を配置し、側溝ブロック５２の側壁部５４の外面に遮水シート材の側縁部が当接するように敷設して遮水層２０を形成する。
【００２７】
この後、前述した工程で形成された混練物５を、図１に示す遮水層２０上に打設して転圧すると、混練物５が固化する過程において、団粒化剤３中のイオンの作用により、隣接する個々の砕石粒１ａ同士の間において、砕石材１中に含まれる岩石の粉粒成分とセメント系固化剤２とが立体的な団粒構造を形成して連続した空隙が発生するとともに、セメント系固化剤２の作用により、これらの空隙が外力で破壊されない程度に固化されるため、透水性及び保水性を兼備した路盤３０が遮水層２０上に形成される。
【００２８】
この後、ポーラスアスファルト（若しくはポーラスコンクリート）を路盤３０上に打設して固化させて舗装層４０を形成すると、透水性及び保水性を有する舗装構造１００が完成する。
【００２９】
舗装構造１００の最上部に位置する舗装層４０の表面４０ａに降り注いだ雨水などの水分は、舗装層４０から路盤３０に向かって浸透していき、路盤３０中の団粒構造に存在する空隙中に一時保持されるとともに、路盤３０中に保持できなかった水分は路盤３０中を下降して遮水層２０上に捕集され、排水経路５１を経て側溝５０内の通水路５３へ流入し所定の排水施設に向かって流下する。
【００３０】
このように、舗装層４０の表面４０ａに大量の雨水が降り注いだ場合、当該雨水は舗装層４０を通過して路盤３０中に一時的に貯留された後、時間差を置いて、側溝５０内へ排出されるので、舗装層４０に降り注いだ雨水と、舗装構造１００の周辺地域に降った雨水とが同時に側溝５０内へ流れ込むのを防止することができる。
【００３１】
この結果、ゲリラ豪雨などのように、短時間内のうちに局地的大雨が降った場合の水害発生を回避することができる。また、路盤３０中に保持（貯留）された水分は遮水層２０から下方へ浸透することがないので、水分によって路床１０が損傷することもない。
【００３２】
さらに、舗装構造１００は、路床１０上に敷設された遮水層２０の上に路盤３０及び舗装層４０を形成するとともに、遮水層２０上に捕集された水分を側溝５０内へ流入させる排水経路５１を設ければ構築することができるので、施工も容易である。
【００３３】
なお、図１〜図３に基づいて説明した舗装構造１００は本発明の一例を示すものであり、本発明の舗装構造は前述した舗装構造１００に限定されるものではない。
【産業上の利用可能性】
【００３４】
本発明の舗装構造は、車道、歩道などの一般道路あるいは公園、広場、駐車場などの舗装手段として土木建設業などの分野において広く利用することができる。
【符号の説明】
【００３５】
１  砕石材
１ａ  砕石粒
２  セメント系固化剤
３  団粒化剤
４  水
５  混練物
１０  路床
２０  遮水層
３０  路盤
４０  舗装層
４０ａ  表面
５０  側溝
５１  排水経路
５１ａ  外側開口部
５１ｂ  内側開口部
５２  側溝ブロック
５３  通水路
５４  側壁部
５５  底部
１００  舗装構造
【図１】
2016079592.tif 000003
【図２】
2016079592.tif 000004
【図３】
2016079592.tif 000005